【手続補正書】
【提出日】平成17年11月21日(2005.11.21)
【手続補正１】
【補正対象書類名】明細書
【補正対象項目名】特許請求の範囲
【補正方法】変更
【補正の内容】
【特許請求の範囲】
【請求項１】  撮影された画像の特徴を抽出する特徴抽出手段と、
前記抽出手段により抽出された特徴を示す特徴抽出データを前記撮影された画像の付加情報として撮影画像とともに画像ファイル化するファイル化手段と、
前記画像ファイルを記録媒体に記録する記録手段と、
を有することを特徴とするデジタルカメラ。
【請求項２】  前記ファイル化手段は、Ｅｘｉｆ規格のプライベートタグに前記特徴抽出データを書き込むことを特徴とする請求項１記載のデジタルカメラ。
【請求項３】  前記特徴抽出データは、輝度に関するヒストグラム、同一輝度値１画素毎の平均色差量、色相に関するヒストグラム、彩度に関するヒストグラム、濃度に関するヒストグラム、ハイライトポイント輝度、ダークポイント輝度、ハイライトポイントでの平均色差、ダークポイントでの平均色差のうちの少なくとも一つであることを特徴とする請求項１記載のデジタルカメラ。
【請求項４】  請求項１記載のデジタルカメラから得られる画像ファイルを入力する入力手段と、
前記画像ファイルから前記特徴抽出データを読み出す特徴抽出データ読出手段と、
前記特徴抽出データに基づいて前記画像ファイルの画像を補正する補正手段と、
を有することを特徴とする画像処理装置。
【請求項５】  前記入力手段は、前記デジタルカメラと有線或いは無線の通信手段により入力することを特徴とする請求項４記載の画像記録システム。
【請求項６】  前記入力手段は、前記記録媒体が装着される装着部を有することを特徴とする請求項４記載の画像処理装置。
【請求項７】  撮影された画像の特徴を抽出する特徴抽出工程と、
前記抽出行程で抽出された特徴を示す特徴抽出データを前記撮影された画像の付加情報として撮影画像とともに画像ファイル化するファイル化工程と、
前記画像ファイルを記録媒体に記録する記録工程と、
を有することを特徴とする画像処理方法。
【請求項８】  前記ファイル化工程では、Ｅｘｉｆ規格のプライベートタグに前記特徴抽出データを書き込むことを特徴とする請求項７記載の画像処理方法。
【請求項９】  前記特徴抽出データは、輝度に関するヒストグラム、同一輝度値１画素毎の平均色差量、色相に関するヒストグラム、彩度に関するヒストグラム、濃度に関するヒストグラム、ハイライトポイント輝度、ダークポイント輝度、ハイライトポイントでの平均色差、ダークポイントでの平均色差のうちの少なくとも一つであることを特徴とする請求項７記載の画像処理方法。
【請求項１０】  請求項７記載の画像処理方法を用いて前記記録媒体に記録された画像ファイルを入力する入力工程と、
前記画像ファイルから前記特徴抽出データを読み出す特徴抽出データ読出工程と、
前記特徴抽出データに基づいて前記画像ファイルの画像を補正する補正工程と、
を有することを特徴とする画像処理方法。
【請求項１１】  前記請求項７〜１０のいずれかに記載された画像処理方法を実行するプログラムを格納したコンピュータ読取可能な記録媒体。
【請求項１２】  前記請求項７〜１０のいずれかに記載された画像処理方法を実行するプログラム。
【請求項１３】  画像データに該画像の特徴を表わす輝度、色相、彩度、濃度の少なくとも１つに関するヒストグラム情報又は色差情報が付与された画像ファイルを入力する入力手段と、
前記入力手段により入力された画像ファイルから前記ヒストグラム情報或いは色差情報を抽出する抽出手段と、
前記抽出手段により抽出された前記ヒストグラム情報或いは色差情報を用いて前記画像データを補正する補正手段と、
を有することを特徴とする画像処理装置。
【請求項１４】  撮像装置とプリンタとを接続した画像処理システムにおいて、
撮像された画像の特徴を抽出する特徴抽出手段と、
前記特徴抽出手段により抽出された特徴を特徴抽出データとして前記プリンタへ転送する転送手段と、
を有することを特徴とする画像処理システム。
【請求項１５】  前記転送手段は前記特徴抽出データを撮像画像と関連付けて転送することを特徴とする請求項１４項記載の画像処理システム。
【請求項１６】  前記特徴抽出データは、輝度に関するヒストグラム、同一輝度値１画素毎の平均色差量、色相に関するヒストグラム、彩度に関するヒストグラム、濃度に関するヒストグラム、ハイライトポイント輝度、ダークポイント輝度、ハイライトポイントでの平均色差、ダークポイントでの平均色差のうちの少なくとも一つであることを特徴とする請求項１４記載の画像処理システム。
【請求項１７】  表示装置に表示しようとする画像について、記憶媒体から画像データを読み出す読み出し手段と、
前記読み出し手段で読み出された画像データに基づいて、前記表示装置へ画像を表示させる表示制御手段と、
前記読み出し手段で読み出された画像を解析して画像の特徴を示す特徴データを算出する算出手段と、
外部機器と通信する通信手段と、
前記通信手段は、前記算出手段で算出された前記特徴データを、前記記憶媒体から読み出された画像データと共に、前記外部装置に送信することを特徴とする画像処理装置。
【請求項１８】  さらに、前記算出手段で算出された前記特徴データを、前記画像データと共に１ファイル化するファイル化手段を有し、
前記通信手段は、前記特徴データと前記画像データとが１ファイル化されたデータを送信することを特徴とする請求項１７に記載の画像処理装置。
【請求項１９】  表示装置に表示しようとする画像について、記憶媒体から画像データを読み出す読み出し工程と、
前記読み出し工程で読み出された画像データに基づいて、前記表示装置へ画像を表示させる表示制御工程と、
前記読み出し工程で読み出された画像を解析して画像の特徴を示す特徴データを算出する算出工程と、
外部機器と通信する通信工程と、
前記通信工程は、前記算出工程で算出された前記特徴データを、前記記憶媒体から読み出された画像データと共に、前記外部装置に送信することを特徴とする画像処理方法。
【請求項２０】  さらに、前記算出工程で算出された前記特徴データを、前記画像データと共に１ファイル化するファイル化工程を有し、
前記通信工程は、前記特徴データと前記画像データとが１ファイル化されたデータを送信することを特徴とする請求項１９に記載の画像処理方法。
【手続補正２】
【補正対象書類名】明細書
【補正対象項目名】００１９
【補正方法】変更
【補正の内容】
【００１９】
また、本発明の画像処理装置は、画像データに該画像の特徴を表わす輝度、色相、彩度、濃度の少なくとも１つに関するヒストグラム情報又は色差情報が付与された画像ファイルを入力する入力手段と、前記入力手段により入力された画像ファイルから前記ヒストグラム情報或いは色差情報を抽出する抽出手段と、抽出手段により抽出されたヒストグラム情報或いは色差情報を用いて画像データを補正する補正手段とを有することを特徴とする。
また、本発明の画像処理装置は、表示装置に表示しようとする画像について、記憶媒体から画像データを読み出す読み出し手段と、読み出し手段で読み出された画像データに基づいて、表示装置へ画像を表示させる表示制御手段と、読み出し手段で読み出された画像を解析して画像の特徴を示す特徴データを算出する算出手段と、外部機器と通信する通信手段と、通信手段は、算出手段で算出された特徴データを、記憶媒体から読み出された画像データと共に、外部装置に送信することを特徴とする。